(57)【特許請求の範囲】
【請求項１】
建物の開口部に備えられた枠体内に引き違い式又は片開き式に開閉自在に設けられる引き戸の戸先框に、該引き戸の閉動作に伴って該戸先框と対向位置する該枠体と接当することにより該戸先框側へ移動する出退部材を突出付勢した状態で設け、前記出退部材の引退動作に伴って該戸先框内に備えた掛け金を突出させて前記枠体に備えた係止部に係止させるために該出退部材と該掛け金とを連動させる第１連動機構を設け、前記掛け金が係止解除側へ操作されることを接当阻止するロック部材を接当位置と非接当位置とに上下方向に移動させるべく室内側から操作する操作部を設け、前記引き戸の戸先框に設けられて該引き戸の開放側への初動を軽減補助する開放補助機構を構成する取っ手による開放操作に連動して、前記ロック部材を前記２つの位置に操作するために該ロック部材と該開放補助機構とを連動させる第２連動機構を設けるとともに、前記ロック部材を前記引き戸の室外側から２位置に操作可能とするためのシリンダー錠と該ロック部材とを連動させる第３連動機構を設けたことを特徴とする引き戸用錠前。
【請求項２】
建物の開口部に備えられた枠体内に引き違い式又は片開き式に開閉自在に設けられる引き戸の戸先框に、該引き戸の閉動作に伴って該戸先框と対向位置する該枠体と接当することにより該戸先框側へ移動する出退部材を突出付勢した状態で設け、前記出退部材の引退動作に伴って該戸先框内に備えた掛け金を突出させて前記枠体に備えた係止部に係止させるために該出退部材と該掛け金とを連動させる第１連動機構を設け、前記掛け金が係止解除側へ操作されることを接当阻止するロック部材を接当位置と非接当位置とに室内側から操作する操作部を設け、前記引き戸の戸先框に設けられて該引き戸の開放側への初動を軽減補助する開放補助機構を構成する取っ手による開放操作に連動して、前記ロック部材を前記２つの位置に操作するために該ロック部材と該開放補助機構とを連動させる第２連動機構及び、前記ロック部材を前記引き戸の室外側から２位置に操作可能とするためのシリンダー錠と該ロック部材とを連動させる第３連動機構のうちの少なくとも一方を備え、
前記取っ手を、水平軸芯周りで揺動するものから構成し、前記取っ手の揺動力を上下方向への移動力に変換するための変換機構と、該変換機構にて変換された上下方向の移動力を前記ロック部材に伝達して該ロック部材を前記２つの位置に操作するために該変換機構と該ロック部材とを連結する連結部材とから前記第２連動機構を構成し、前記ロック部材に一端側が連結され、該ロック部材の上下方向の移動により上下動するアームと、前記アームの他端側が前記シリンダー錠を構成する回転部材に連結され、該アームの上下動を該回転部材の回転力に変換させるために該アームに備えさせた変換部とから前記第３連動機構を構成してなることを特徴とする引き戸用錠前。
【請求項３】
前記第３連動機構を構成する変換部が、前記シリンダー錠の回転部材に備えさせた突出部に係止して該突出部の水平方向への移動を許容しながら該突出部を上下動させる切り欠きを該アームに備えさせたものでなる請求項１又は２記載の引き戸用錠前。
【請求項４】
前記引き戸用錠前の上側に、前記開放補助機構を配置し、該引き戸用錠前の下側に、前記シリンダー錠を配置し、前記ロック部材の上側に、前記開放補助機構に連結された前記連結部材の下部を連結する上側連結部を備え、かつ、前記ロック部材の下側に、前記シリンダー錠に連結された前記アームの上部を連結する下側連結部を備えてなる請求項１〜３のいずれかに記載の引き戸用錠前。
【発明の詳細な説明】
【技術分野】
【０００１】
本発明は、建物の開口部に備えられた枠体内に引き違い式又は片開き式に開閉自在に設けられる引き戸の先端（戸先）に設けられ、引き戸を閉じたときに、枠体に備えた係止部に係止する掛け金を備えてなる引き戸用錠前に関する。
【背景技術】
【０００２】
上記引き戸用錠前では、例えば係止位置と係止解除位置との間で回動可能な掛け金を設け、その掛け金に対して、引き戸の開放側への初動を軽減補助する開放保持機構を構成する取っ手と連動して解除位置から係止位置に駆動する機構を設けて、引き戸を開閉操作するために、取っ手を揺動操作するだけで、引き戸用錠前を施錠及び開錠することができるようにしている（例えば、特許文献１参照）。
又、上記引き戸用錠前では、例えば引き戸の閉鎖に伴い枠体側に設けた掛け金であるピンに係止し、引き戸の開放に伴い該ピンから外れて係止解除するように揺動板の先端にフック部を備えさせ、室外から操作可能なシリンダー錠又は室内から操作する摘みによって昇降するスライダーを設け、このスライダーに該スライダーの降下に伴い、係止解除側への揺動板の揺動を阻止するストッパー装置を設けて、室内と室外のどちらからでもフック部をピンに係止した状態を維持する施錠状態と、この施錠状態を解除する開錠状態とに切り替えることができるようにしている（例えば、特許文献２参照）。
【特許文献１】特開２００５−９７８６６号公報（図１〜図３参照）
【特許文献２】実公平４−２１９８７号公報（第１図〜第３図参照）
【発明の開示】
【発明が解決しようとする課題】
【０００３】
上記特許文献１の構成では、引き戸を開放保持機構にて引き戸の開放側への初動を軽減して引き戸を軽快に開放することができる利点があるものの、室外側から引き戸を施錠することができないものであるため、玄関用の引き戸などには用いることができないものであった。
又、上記特許文献２の構成では、室外側から引き戸用錠前を室内と室外のどちらからでも施錠及び開錠することができる利点があるものの、開放保持機構を備えていないため、引き戸を軽快に開放することができず、重量のある引き戸の他、突風が吹き付けるマンションやビルなどのテラスに設ける引き戸に用いると、引き戸の開放操作がし難い不都合があり、改善の余地があった。
因みに、特許文献１及び特許文献２の両方の引き戸用錠前を引き戸に備えさせることによって、上記不都合を解消できるものであるものの、２つの掛け金などを設けることから、部材点数の増大を招きコスト高になるだけでなく、２つの引き戸用錠前のうちの、一方の引き戸用錠前が施錠されていると、他方の引き戸用錠前を開錠操作しても、引き戸を開放することができないものであるため、操作が非常に面倒である不都合があり、実施することが困難な構成である。
【０００４】
本発明が前述の状況に鑑み、解決しようとするところは、設置する場所やニーズに応じて、室内から又は室外からあるいは室内及び室外のどちらからでも施錠及び開錠が行える引き戸用錠前を提供する点にある。
【課題を解決するための手段】
【０００５】
本発明の引き戸用錠前は、前述の課題解決のために、建物の開口部に備えられた枠体内に引き違い式又は片開き式に開閉自在に設けられる引き戸の戸先框に、該引き戸の閉動作に伴って該戸先框と対向位置する該枠体と接当することにより該戸先框側へ移動する出退部材を突出付勢した状態で設け、前記出退部材の引退動作に伴って該戸先框内に備えた掛け金を突出させて前記枠体に備えた係止部に係止させるために該出退部材と該掛け金とを連動させる第１連動機構を設け、前記掛け金が係止解除側へ操作されることを接当阻止するロック部材を接当位置と非接当位置とに上下方向に移動させるべく室内側から操作する操作部を設け、前記引き戸の戸先框に設けられて該引き戸の開放側への初動を軽減補助する開放補助機構を構成する取っ手による開放操作に連動して、前記ロック部材を前記２つの位置に操作するために該ロック部材と該開放補助機構とを連動させる第２連動機構を設けるとともに、前記ロック部材を前記引き戸の室外側から２位置に操作可能とするためのシリンダー錠と該ロック部材とを連動させる第３連動機構を設けたことを特徴としている。
また、本発明の引き戸用錠前は、前述の課題解決のために、建物の開口部に備えられた枠体内に引き違い式又は片開き式に開閉自在に設けられる引き戸の戸先框に、該引き戸の閉動作に伴って該戸先框と対向位置する該枠体と接当することにより該戸先框側へ移動する出退部材を突出付勢した状態で設け、前記出退部材の引退動作に伴って該戸先框内に備えた掛け金を突出させて前記枠体に備えた係止部に係止させるために該出退部材と該掛け金とを連動させる第１連動機構を設け、前記掛け金が係止解除側へ操作されることを接当阻止するロック部材を接当位置と非接当位置とに室内側から操作する操作部を設け、前記引き戸の戸先框に設けられて該引き戸の開放側への初動を軽減補助する開放補助機構を構成する取っ手による開放操作に連動して、前記ロック部材を前記２つの位置に操作するために該ロック部材と該開放補助機構とを連動させる第２連動機構及び、前記ロック部材を前記引き戸の室外側から２位置に操作可能とするためのシリンダー錠と該ロック部材とを連動させる第３連動機構のうちの少なくとも一方を備え、前記取っ手を、水平軸芯周りで揺動するものから構成し、前記取っ手の揺動力を上下方向への移動力に変換するための変換機構と、該変換機構にて変換された上下方向の移動力を前記ロック部材に伝達して該ロック部材を前記２つの位置に操作するために該変換機構と該ロック部材とを連結する連結部材とから前記第２連動機構を構成し、前記ロック部材に一端側が連結され、該ロック部材の上下方向の移動により上下動するアームと、前記アームの他端側が前記シリンダー錠を構成する回転部材に連結され、該アームの上下動を該回転部材の回転力に変換させるために該アームに備えさせた変換部とから前記第３連動機構を構成してなることを特徴としている。
引き戸を閉じることによって、戸先框に備えさせた出退部材が引退すると同時に第１連動機構にて掛け金が突出して係止部に係止する。この状態において室内側から操作部を操作する、又は室外側からシリンダー錠をキーにより操作してロック部材を接当位置に操作することにより、第２連動機構又は第３連動機構により掛け金が係止解除側へ操作されることを接当阻止する施錠状態にすることができる。又、前記施錠状態において室内側から操作部を前記操作方向とは反対方向へ操作する、又は室外側からシリンダー錠をキーにより前記操作方向とは反対方向へ操作してロック部材を接当位置から非接当位置に操作することにより、第２連動機構又は第３連動機構により掛け金が係止解除側へ操作可能な状態となる開錠可能状態にすることができる。前記開錠可能状態において、室外側又は室内側からの引き戸の開放状態への移行に伴って、出退部材が突出すると同時に突出していた掛け金が戸先框内に位置して引き戸を開放することができる。前記引き戸の開放状態への移行時に、開放補助機構を構成する取っ手による開放操作を行うことによって、引き戸の開放側への初動を軽減することができる。
【０００７】
前記第３連動機構を構成する変換部が、前記シリンダー錠の回転部材に備えさせた突出部に係止して該突出部の水平方向への移動を許容しながら該突出部を上下動させる切り欠きを該アームに備えさせたもので構成されてもよい。
【０００８】
前記引き戸用錠前の上側に、前記開放補助機構を配置し、該引き戸用錠前の下側に、前記シリンダー錠を配置し、前記ロック部材の上側に、前記開放補助機構に連結された前記連結部材の下部を連結する上側連結部を備え、かつ、前記ロック部材の下側に、前記シリンダー錠に連結された前記アームの上部を連結する下側連結部を備えてもよい。
【発明の効果】
【０００９】
枠体に備えた係止部に係止させるために出退部材と掛け金とを連動させる第１連動機構を設け、前記掛け金が係止解除側へ操作されることを接当阻止するロック部材を接当位置と非接当位置とに室内側から操作する操作部を設け、前記引き戸の戸先框に設けられて該引き戸の開放側への初動を軽減補助する開放補助機構を構成する取っ手による開放操作に連動して、前記ロック部材を前記２つの位置に操作するために該ロック部材と該開放補助機構とを連動させる第２連動機構及び、前記ロック部材を前記引き戸の室外側から２位置に操作可能とするためのシリンダー錠と該ロック部材とを連動させる第３連動機構のうちの少なくとも一方を備えさせることによって、第１連動機構に対して第２連動機構又は第３連動機構あるいは第２及び第３連動機構を介して、室内側だけでなく室外側のどちらからでも施錠及び開錠操作が行える引き戸用錠前を提供することができるから、設置する場所やニーズに応じて、室内からのみ又は室外からのみ施錠及び開錠操作が行える構成にすることは勿論のこと、室内及び室外のどちらからでも施錠及び開錠が行える構成の引き戸用錠前を提供することができ、使用面において有利になるだけでなく、第１連動機構に対して第２連動機構又は第３連動機構あるいはそれら両連動機構を備えさせるだけで、シリンダー錠を省いて開放補助機構にてロック部材を操作できる構成にしたり、これとは反対に開放補助機構を省いてシリンダー錠にてロック部材を操作できる構成にすることができ、更には、開放補助機構及びシリンダー錠のいずれからもロック部材を操作できる構成にすることができ、引き戸用錠前の商品構成を３通りの組み合わせにすることができる商品価値の高いものにすることができる。
【００１０】
前記取っ手を、水平軸芯周りで揺動するものから構成し、前記取っ手の揺動力を上下方向への移動力に変換するための変換機構と、該変換機構にて変換された上下方向の移動力を前記ロック部材に伝達して該ロック部材を前記２つの位置に操作するために該変換機構と該ロック部材とを連結する連結部材とから前記第２連動機構を構成し、前記ロック部材に一端側が連結され、該ロック部材の上下方向の移動により上下動するアームと、前記アームの他端側が前記シリンダー錠を構成する回転部材に連結され、該アームの上下動を該回転部材の回転力に変換させるために該アームに備えさせた変換部とから前記第３連動機構を構成する、つまり機械的に構成することによって、電気的に構成したものに比べて信頼性を高めることができる。
【発明を実施するための最良の形態】
【００１１】
図１に、建物の開口部に備えられた枠体１内に引き違い式又は片開き式に開閉自在に設けられる引き戸２に、引き戸用錠前Ａが取り付けられた引き戸の先端側（戸先側）の縦断面図が示されている。前記引き戸用錠前Ａは、前記引き戸２の戸先框２Ａに、引き戸２の閉動作に伴って戸先框２Ａと対向位置する前記枠体１を構成する縦枠１Ａと接当することにより戸先框側へ移動する出退部材３を突出付勢した状態で設け、前記出退部材３の引退動作に伴って該戸先框２Ａ内に備えた掛け金４を突出させて前記縦枠１Ａに備えた係止部５に係止させるために該出退部材３と該掛け金４とを連動させる第１連動機構６を設け、前記掛け金４が係止解除側へ操作されることを接当阻止するロック部材７を接当位置と非接当位置とに室内側から操作する操作部８を設け、前記引き戸２の戸先框２Ａに設けられて該引き戸２の開放側への初動を軽減補助する開放補助機構９を構成する取っ手１０による開放操作に連動して、前記ロック部材７を前記２つの位置に操作するために該ロック部材７と該開放補助機構９とを連動させる第２連動機構１１と、前記ロック部材７を前記引き戸２の室外側から２位置に操作可能とするためのシリンダー錠１２と該ロック部材７とを連動させる第３連動機構１３とを備えている。前記引き戸２は、一般住宅は勿論のこと、マンションなどのビルにも使用可能であり、窓、玄関、テラス用などに用いられるものであり、引き戸２としての具体的構成は自由に変更可能である。
【００１２】
前記開放補助機構９について詳述すれば、図１〜図５に示すように、引き戸２の室内側の壁５７の室内側に設置されたケーシング１４にて取っ手１０の基端側のボス部を回転自在に保持し、そのボス部に内嵌される支軸１７をこれと一体回転するように板状の回動アーム１８の貫通孔１８Ａを貫通させ、この貫通突出した支軸１７にスペーサ１５を外装してから端部にリング部材１６を外嵌してカシめることにより前記回動アーム１８に取っ手１０のボス部を固定して、前記取っ手１０を前記支軸１７の水平軸芯Ｘ周りで揺動させることができるようになっている。前記回動アーム１８の長手方向一端（図では下端）に前記取っ手１０を下方側へ揺動操作することにより、前記ケーシング１４外、つまり縦枠１Ａ側の外部に突出して縦枠１Ａに接当して該縦枠１Ａを押圧するための押圧部１９を取り付け、前記回動アーム１８の他端に突設したピン２０と前記ケーシング１４又は室内側の壁５７とに渡って該回動アーム１８をそれの長手方向両端が上下に位置する縦姿勢に回転付勢するためのコイルスプリング２１を設けている。従って、図１〜図３に示す取っ手１０を下方側へ揺動操作することによって、回動アーム１８を一体的に回転させて、前記ケーシング１４に形成の開口（図示せず）を通して回動アーム１８の押圧部１９を縦枠１Ａ側の外部に突出させて縦枠１Ａを押圧する。このときの押圧した反力で、引き戸２を開方向へ押し動かす力が発生することによって、引き戸２の開放側への初動を軽減して引き戸２を軽快に開放操作することができるようになっている。ここでは、取っ手１０を、前記支軸１７に外嵌固定されるボス部から引き戸２開き方向側の上方へ斜めに立ち上がった傾斜部と、この傾斜部の上端から上方に立ち上がった縦部とからなる形状のものから構成しているが、引き戸２開き方向側に水平に延びるものであってもよく、取っ手１０としての具体的構成は、どのようなものであってもよい。前記押圧部１９には、前記回動アーム１８の下端及び該下端に貫通装着されたピン６１を差し込んで固定するためのＴ字状の溝１８Ｍを備えている。
【００１３】
前記第２連動機構１１を、前記取っ手１０の揺動力を上下方向への移動力に変換するための変換機構２２と、該変換機構２２にて変換された上下方向の移動力を前記ロック部材７に伝達して該ロック部材７を前記２つの位置に操作するために該変換機構２２と該ロック部材７とを連結する連結部材２３とから構成している。
【００１４】
前記変換機構２２を、前記回動アーム１８に取り付けられ、該回動アーム１８の回転により水平方向に円弧状に移動する突出部としての棒状部材２４と、この棒状部材２４の水平方向への移動により上下方向へ移動する可動部材２８とから構成している。前記棒状部材２４を、前記回動アーム１８の回動軸芯よりも下方側（上方側でもよい）箇所に室外側へ突出するように貫通固定されたものからなり、前記棒状部材２４の突出側を、前記引き戸２に形成の円弧状の長孔２Ｎ、該引き戸２の室外側背面にボルト止めされた平面視ほぼコの字状の支持部材２５に形成の円弧状の長孔２５Ｎを通してから、前記可動部材２８に形成のほぼ三角形の孔２８Ｋに通している。前記孔２８Ｋの斜辺を、それをほぼ２分割する中間点を挟んで上向きに急な勾配で立ち上がる第１傾斜部２８ａと、該中間点を挟んで下向きに緩い勾配で下がる第２傾斜部２８ｂとから構成して、第１傾斜部２８ａを移動している間の可動部材２８の上下移動距離を、第２傾斜部２８ｂを移動している間の可動部材２８の上下移動距離よりも長くなるようにして、前記ロック部材７の接当位置から非接当位置へ迅速に位置変更することができるようにしているが、孔２８Ｋの斜辺を１つの一直線上のものから構成して実施することもできる。前記可動部材２８は、前記支持部材２５に室外側へ突設された上下一対のピン２６，２７に、上下２箇所に形成された上下方向に長い長孔２８Ａ，２８Ｂを介して上下動自在に支持されている。従って、図３に示す姿勢の取っ手１０を矢印の方向（下方向）に揺動操作していくと、棒状部材２４が第１傾斜部２８ａを押し上げながら長孔２Ｎの一端から他端のほぼ半分を移動する。前記第１傾斜部２８ａを押し上げた後、第２傾斜部２８ｂを押し上げながら長孔２Ｎの残りの半分を移動して、可動部材２８を最大上昇位置に位置させるとともに、ケーシング１４に形成の開口（図示せず）を通して回動アーム１８の押圧部１９が縦枠１Ａ側の外部に突出して縦枠１Ａを押圧する反力で、引き戸２を開方向へ押し動かす力が発生して、引き戸２の開放側への初動を軽減して引き戸２を軽快に開放操作することができる。図５に示す６２は、前記連結部材２３の上端を前記可動部材２８の下端に連結するための連結用のピンである。
【００１５】
前記第１連動機構６は、引き戸２の戸先側端の開口に取り付けられたプレート２９に形成の正方形状の開口２９Ａを通して前記出退部材３を縦枠１Ａ側へ突出付勢するためのコイルスプリング３０と、前記出退部材３が縦枠１Ａとの接当により引き戸２側へ移動することにより該コイルスプリング３０にて引き戸閉じ方向に移動付勢されたスライド部材３１と、前記掛け金４をピン３２を介して水平の揺動軸芯Ｙ周りで回転自在に支持するための固定側の枠部材３３と、前記スライド部材３１の縦枠側の下方位置に形成され、かつ、前記掛け金４の水平の揺動軸心Ｙよりも上方位置に突出形成された円柱状の突起３４が入り込んで該スライド部材３１の縦枠１Ａ側への移動に伴って該掛け金４を水平の揺動軸芯Ｙ周りで揺動させるための上下方向に長く形成された長孔３１Ａと、前記スライド部材３１を縦枠１Ａ側へ移動させることにより、前記係止部５に係止している掛け金４を揺動軸芯Ｙ周りで下方側へ揺動させて該係止部との係止を解除するために前記スライド部材３１の折り曲げ部３１Ｃと掛け金４の上端とに渡って取り付けたキックバネ３５とから構成している。
【００１６】
従って、図７に示すように、引き戸２を閉じ状態にすることによって、出退部材３が引き戸２側へ移動すると同時にスライド部材３１が縦枠１Ａから離れる側へ移動させる。前記スライド部材３１の移動により掛け金４の上端も同一方向へ移動することになるが、長孔３１Ａと突起３４とが係止しているため、掛け金４を揺動軸芯Ｙ周りで上方側へ揺動して、図７に示すように係止部５に掛け金４の先端を係止した仮の施錠状態にすることができるようになっている。この図７の状態から、前記ロック部材７を上方（図７の矢印の方向）に移動させてロックを解除した後、引き戸２を開放操作することにより、出退部材３がコイルスプリング３０にて縦枠１Ａ側へ突出することにより、スライド部材３１への押圧力が解除されることにより、キックバネ３５の付勢力が発揮されてスライド部材３１を縦枠１Ａ側へスライド移動させることになるが、長孔３１Ａと突起３４とが係止しているため、掛け金４を揺動軸芯Ｙ周りで下方側へ揺動して、図８に示すように係止部５から掛け金４の先端を係止解除した開錠状態にすることができるようになっている。
【００１７】
前記係止部５は、前記縦枠１Ａ側に固定されている受け部材３６に形成した掛け金４通過用の開口３６Ａの上端に引き戸２側へ突出するように折り曲げ形成した傾斜片からなっている。又、前記プレート２９は、縦長状の板材からなり、前記出退部材３の引き戸２外部への突出させるための開口２９Ａの下側に掛け金４の引き戸２外部への突出させるための縦長状の開口２９Ｂを形成しているが、これら開口２９Ａ，２９Ｂの上下を逆にしたり、幅のある引き戸２であれば、水平に２つの開口２９Ａ，２９Ｂを併設してもよい。又、前記掛け金４を上方側へ揺動操作することによって、係止部５に係止させる構成にする他、下方側へ揺動操作して係止部５に係止させる構成であってもよい。又、前記スライド部材３１は、前記長孔３１Ａが形成された板状の本体部と、この本体部の長孔３１Ａの下方にスライド部材３１のスライド時に前記掛け金４の揺動軸を構成するピン３２を逃がすために形成した切欠き３１Ｋと、前記本体部の上端後側部分から上方へ立ち上げるとともに前記コイルスプリング３０の一端を受けるための係止部３１Ｂが形成された板片部と、前記本体部の縦枠１Ａから離れる側の端部に互いに反対方向へほぼ９０度折り曲げ形成された上下の折り曲げ部３１Ｃ，３１Ｄ（一方の折り曲げ部３１Ｄが、後述するストッパー部となる）とから構成している。又、前記枠部材３３は、前記プレート２９側の面と引き戸２の厚み方向一端側の面の２面が開放された箱形形状でなり、前記掛け金４を揺動自在にピン３２を介して支持させるとともに、前記スライド部材３１を掛け金４と枠部材３３とで挟んだ状態でスライド自在に保持している。又、前記枠部材３３に、前記折り曲げ部３１Ｄが入り込んでスライド部材３１を移動案内するための引き戸２移動方向に長い長孔３３Ｂが形成されている。又、前記枠部材３３には、前記スライド部材３１との接触面を小さくするためにスライド部材３１側に突出し、かつ、引き戸２移動方向に長くなる線状の突起部３３Ａを形成しているが、無くてもよい。又、前記出退部材３に、前記コイルスプリング３０を収納することができる引き戸２移動方向に長い凹部３Ａを形成しており、コイルスプリング３０を凹部３Ａに挿入するだけでコイルスプリング３０の装着を完了することができる。又、前記出退部材３の凹部３Ａの下面は開放されており、スライド部材３１の移動を許容することができるようになっている。ここで説明した部品３，４，２９，３１，３３の形状や配置関係などの具体的構成は、自由に変更することができる。
【００１８】
前記ロック部材７について説明すれば、図６〜図９に示すように、上側の連結部材２３の下端に備えさせたピン３７及び下側の連結部材３８の上端に備えさせたピン３９を、水平方向から差し込んで連結するために、切欠き７Ａ，７Ｂを上下端にそれぞれ形成した本体部７ａと、この本体部７ａの縦枠１Ａ側端から前記枠部材３３側に折り曲げてから該枠部材３３の表面に沿う取付板部７ｂとからロック部材７を構成している。前記取付板部７ｂの上下方向に、上下方向に長い上下一対の長孔７Ｃ，７Ｄを形成し、この長孔７Ｃ，７Ｄに貫通するピン４０，４１にて前記枠部材３３に上下移動自在に支持させるようにしている。そして、前記ロック部材７を上下方向の２位置に室内側から操作するための操作部としてのロック摘み８の突起部４３を係止するための係止孔７Ｅを前記ロック部材７に形成し、前記枠部材３３の長孔３３Ｂを通して突出する折り曲げ部３１Ｄに接当してスライド部材３１の縦枠１Ａ側への移動を阻止するために枠部材３３側に突出する突出部７Ｆを本体部７ａの引き戸２開放側端に形成している。図６に示す５８は、前記ロック摘み８を上下動自在に保持するための枠部材であり、この枠部材５８は、それの上下に備えさせた係止爪５８Ａ，５８Ａにて引き戸２の室内側の壁５７の貫通孔に係止保持させている。前記突出部７Ｆの真下にも同様に第２の突出部７Ｇを備えさせて２箇所で接当させるようにすれば、一方の折り曲げ部３１Ｄにかかる負担を小さくすることができ、好ましいが、下側の突出部７Ｇを省略して実施しても良い。これらロック部材７の具体的構成は、図に示されるものに限定されるものではない。
【００１９】
前記シリンダー錠１２は、図１、図１０〜図１３に示すように、鍵を用いて外部から前記引き戸用錠前Ａを施錠及び解錠することができるように構成されており、具体的には、引き戸２の戸先端の下側に固定された縦長状のプレート４４に固定された錠ケース４５に固定され、引き戸２を構成する室外側の壁５６に一部が突出した状態で装着される外筒４６と、図示していない可動式の内筒が入れ子状になっており、タンブラー（障害子）の動きによって内筒が回転することで、一体的に回転する回転部材であるカム４７を介して前記ロック部材７の下端に一端が連結された連結部材としての後述するアーム３８を上下動させて、引き戸用錠前Ａを施錠及び解錠することができるようにしている。図１０に示す５７は、引き戸２の室内側の壁である。前記錠ケース４５の上下には、アーム３８を貫通させるための貫通孔４５ａ，４５ｂを形成している。
前記カム４７の回転軸４７Ａを、前記錠ケース４５に形成された貫通孔４５Ａに貫通支持し、該カム４７の回転軸４７Ａの軸方向反対側の端部を、前記錠ケース４５に上下のピン４９，５０を介して固定された板状のプレート５１の中心部に形成された貫通孔５１Ａに回転自在に保持している。前記ピン４９，５０は、前記プレート５１に室外側から順次重ね合わせられるスペーサ５２、内枠５３、カバー５４を貫通してそれらを一体化するものである。図１３に示す５５は、前記スペーサ５２と内枠５３とを引き戸２移動方向で連結するための上下一対の長尺なピンである。前記タンブラーの形状や作動原理によって、ピンタンブラー方式、ディスクタンブラー方式、ロータリーディスクタンブラー方式、マグネチックタンブラー方式などの種類があり、シリンダー錠１２としては、どのようなものを用いてもよい。前記錠ケース４５には、カム４７の回転に伴って該カムに形成された後述する突出部４７Ｂを円弧状に移動案内するための円弧状の長孔４５Ｂが形成されている。図１３に示す６３は、前記プレート５１と前記錠ケース４５の縦板部との間に設定距離を開けるためのスペーサである。
【００２０】
前記第３連動機構１３は、前記ロック部材７に一端側（図１３では上端側）が連結され、該ロック部材７の上下方向の移動により上下動する板状のアーム（連結部材）３８と、前記アーム３８の他端側（図１３では下端側）が前記シリンダー錠を構成するカム４７の回転中心から外れた位置に備えさせた突出部４７Ｂに連結され、該アーム３８の上下動を該カム４７の回転力に変換させるために該アーム３８に備えさせた変換部Ｂとからを構成している。前記シリンダー錠１２のカム４７の突出部４７Ｂに係止して該突出部４７Ｂの水平方向への移動を許容しながら該突出部４７Ｂを上下動させる切り欠き３８Ａを該アーム３８に備えさせて、前記変換部Ｂを構成している。ここでは、アーム３８のカム４７の中心軸４７Ａに位置する下端側部位をコの字状に形成することによって、アーム３８が上下動するときに、アーム３８がカム４７の中心軸４７Ａに接触することがないようにしているが、アーム３８と中心軸４７Ａとの位置関係などによっては、前記コの字状や図示していない逆Ｌ字状あるいは円弧状などの迂回部分を備えることなく、一直線状のアームから構成してもよい。
【００２１】
図では、前記引き戸用錠前Ａの上側に、前記開放補助機構９を配置し、該引き戸用錠前Ａの下側に、前記シリンダー錠１２を配置し、前記ロック部材７の上側に、前記開放補助機構９に連結された前記連結部材２３の下部を連結する上側連結部として切欠き７Ａを備え、かつ、前記ロック部材７の下側に、前記シリンダー錠１２に連結された前記アーム３８の上部を連結する下側連結部としての切欠き７Ｂを備えさせたが、これら位置関係及び具体的構成は適宜変更することができる。又、引き戸用錠前Ａに対して開放補助機構９及びシリンダー錠１２を連動させる構成の他、設置場所の状況やニーズに応じて、引き戸用錠前Ａに対して開放補助機構９及びシリンダー錠１２のうちのいずれか一方を装着して連動させるようにしてもよい。
【００２２】
前記引き戸用錠前Ａは、前記開放補助機構９、前記ロック摘み８、前記シリンダー錠１２の３つのいずれかを操作することによって、施錠状態及び開錠状態に切り替えることができるようにしている。具体的には、図７に示すように、ロック部材７を下方へ移動させることによって、折り曲げ部３１Ｄが突出部７Ｆに接当してスライド部材３１が戸先側（縦枠１Ａ側）へ移動することができないため、引き戸２を開放操作しようとしても、係止部５に係止している掛け金４をそのままの状態を維持する施錠状態になっているため、引き戸２を開放することができないようになっている。又、図８に示すように、ロック部材７を上方へ移動させることによって、突出部７Ｆが折り曲げ部３１Ｄよりも上方に位置してしまうため、スライド部材３１が戸先側（縦枠１Ａ側）へ移動することができる状態となり、引き戸２の開放操作に伴って係止部５に係止している掛け金４を係止解除状態、つまり開錠状態に切り替えることができるようになっている。
【００２３】
さらに詳細に説明すれば、図７に示すように、引き戸用錠前Ａの施錠状態において室内側から開錠して引き戸２を開放する場合には、開放補助機構９の取っ手１０を図３の姿勢から図４に示すように下方側へ揺動操作することにより、ロック部材７を上方へ移動させて、スライド部材３１を戸先側（縦枠１Ａ側）へ移動することができる状態にした後、押圧部１９が縦枠１Ａを押圧することにより、引き戸２を開放側へ軽い操作力で操作することができるようになっている。前記引き戸２の開放側への移動に伴って、前述したように出退部材３が縦枠１Ａ側へ突出してスライド部材３１が縦枠１Ａ側へ移動して係止部５に係止している掛け金４を係止解除状態にして引き戸２を開放側へ操作することができるのである。室内側から施錠を開錠側へ切り替えるには、図６で示すロック摘み８を上方側へ移動操作することによって、ロック部材７を上方へ移動させて、スライド部材３１を戸先側（縦枠１Ａ側）へ移動することができる状態にした後、前記のように開放補助機構９の取っ手１０を用いて、あるいは引き戸２を直接持って開放操作することによって、引き戸２を開放させることができる。
又、引き戸用錠前Ａの施錠状態において室外側から開錠して引き戸２を開放する場合には、シリンダー錠１２にキーを室外側から差し込んで開錠側へ回転操作することによって、アーム３８を上方へ移動させることでロック部材７を上方へ移動させ、前述のように引き戸２を開放操作するだけで、引き戸２を開放することができるようになっている。
【００２４】
前記とは反対に引き戸を開放状態から閉じ状態にした後、引き戸用錠前Ａを施錠状態にする場合について説明すれば、前記取っ手１０を持って、あるいは引き戸２を直接持って引き戸２を閉じると、前記出退部材３が引き戸２側へ移動することにより、スライド部材３１が縦枠１Ａから離れる側へ移動する。前記スライド部材３１の移動により、前述したように掛け金４を揺動軸芯Ｙ周りで上方側へ揺動して、図７に示すように係止部５に掛け金４の先端を係止した仮の施錠状態になる。この状態において、取っ手１０を上方側へ揺動操作して図３の姿勢にする、あるいはロック摘み８を下方側へ移動操作して図６の位置にすることによって、ロック部材７を下方へ移動させ、スライド部材３１が縦枠１Ａ側へ移動しようとしても、突出部７Ｆに折り曲げ部３１Ｄが接当して、施錠状態にすることができる。
又、引き戸用錠前Ａの開錠状態において室外側から施錠する場合には、シリンダー錠１２にキーを室外側から差し込んで施錠側へ回転操作することによって、アーム３８を下方へ移動させることでロック部材７を下方へ移動させて、引き戸用錠前Ａを前述のように施錠することができる。
尚、引き戸２を開いている状態では、出退部材３が縦枠１Ａ側へ突出してスライド部材３１が縦枠１Ａ側へ移動しているため、取っ手１０を上方側へ揺動操作する、あるいはロック摘み８を下方側へ移動操作しようとしても、ロック部材７の突出部７Ｆがスライド部材３１の折り曲げ部３１Ｄに接当するため、ロック部材７の下方側への移動が阻止されることになり、ロック部材７の下方側への操作はできない構成である。
【００２５】
図では、引き戸用錠前Ａを、第１連動機構６に対して、別体に構成された開放補助機構９及び別体で構成されたシリンダー錠１２を取り付けるとともに、第２連動機構１１及び第３連動機構１３にて連動状態にすることによって構成できるようにしたが、第１連動機構６に対して別体に構成された開放補助機構９を設けるとともに、第２連動機構１１にて両者を連動させる構成にすることによって、マンションなどのビルのベランダなどに設置する引き戸２には、室外側からの施錠するためのシリンダー錠１２は不要であるが、軽い操作力で引き戸２を操作できるようにすることができる。又、前記開放補助機構９は不要であるが、室外側からの施錠するためのシリンダー錠１２が必要である場合には、第１連動機構６に対して別体に構成されたシリンダー錠１２を設けるとともに、第３連動機構１３にて両者を連動させる構成にして実施することができる。
【図面の簡単な説明】
【００２６】
【図１】引き戸に開放補助機構と引き戸用錠前とシリンダー錠とを連動状態で組み付けた引き戸の戸先側部分の縦断正面図である。
【図２】開放補助機構の縦断側面図である。
【図３】開放補助機構の縦断正面図である。
【図４】図３で示した取っ手を下方側へ揺動操作した状態を示す開放補助機構の縦断正面図である。
【図５】開放補助機構の分解斜視図である。
【図６】引き戸用錠前の縦断側面図である。
【図７】施錠状態の引き戸用錠前の縦断正面図である。
【図８】開錠状態の引き戸用錠前の縦断正面図である。
【図９】引き戸用錠前の分解斜視図である。
【図１０】シリンダー錠の縦断側面図である。
【図１１】施錠操作したシリンダー錠の縦断正面図である。
【図１２】開錠操作したシリンダー錠の縦断正面図である。
【図１３】シリンダー錠の分解斜視図である。
【符号の説明】
【００２７】
１  枠体
１Ａ  縦枠
２  引き戸
２Ａ  戸先框
２Ｎ  長孔
３  出退部材
３Ａ  凹部
３  第
４  掛け金
５  係止部
６  第１連動機構
７  ロック部材
７ａ  本体部
７ｂ  取付板部
７Ｃ，７Ｄ  長孔
７Ｅ  係止孔
７Ｆ，７Ｇ  突出部
８  操作部（ロック摘み）
９  開放補助機構
１０  取っ手
１１  第２連動機構
１２  シリンダー錠
１３  第３連動機構
１４  ケーシング
１５  スペーサ
１６  リング部材
１７  支軸
１８  回動アーム
１８Ａ  貫通孔
１９  押圧部
２０  ピン
２１  コイルスプリング
２２  変換機構
２３  連結部材
２４  棒状部材
２５  支持部材
２５Ｎ  長孔
２６，２７  ピン
２８  可動部材
２８Ａ，２８Ｂ  長孔
２８ａ，２８ｂ  傾斜部
２８Ｋ  孔
２９  プレート
２９Ａ，２９Ｂ  開口
３０  コイルスプリング
３１  スライド部材
３１Ａ  長孔
３１Ｂ  係止部
３１Ｃ，３１Ｄ  折り曲げ部
３２  ピン
３３  枠部材
３３Ａ  突起部
３３Ｂ  長孔
３４  突起
３５  キックバネ
３６  部材
３６Ａ  開口
３７  ピン
３８  アーム（連結部材）
３９  ピン
４０，４１  ピン
４３  突起部
４４  プレート
４５  錠ケース
４５Ａ  貫通孔
４５Ｂ  長孔
４５ａ，４５ｂ  貫通孔
４６  外筒
４７  カム
４７Ａ  回転軸（中心軸）
４７Ｂ  突出部
４９，５０  ピン
５１  プレート
５１Ａ  貫通孔
５２  スペーサ
５３  内枠
５４  カバー
５６，５７  壁
５８  枠部材
５８Ａ，５８Ａ  係止爪
６１，６２  ピン
６３  スペーサ
Ａ  引き戸用錠前
Ｘ  水平軸芯
Ｂ  変換部
Ｙ  揺動軸心
【図１】
0004765622.tif 000002
【図２】
0004765622.tif 000003
【図３】
0004765622.tif 000004
【図４】
0004765622.tif 000005
【図５】
0004765622.tif 000006
【図６】
0004765622.tif 000007
【図７】
0004765622.tif 000008
【図８】
0004765622.tif 000009
【図９】
0004765622.tif 000010
【図１０】
0004765622.tif 000011
【図１１】
0004765622.tif 000012
【図１２】
0004765622.tif 000013
【図１３】
0004765622.tif 000014